(57)【要約】【課題】本発明は、天井扇風機において、羽根部に発生する応力を分散させ、羽根部の強度を更に向上させることを目的とするものである。【解決手段】本発明は、根元部１２から翼部１３の途中まで伸び、水平断面形状が凹形状である複数の補強部２３とを備え、第２の窪み部２２の翼部１３の根元側の端部は、下流側１１ｂから上流側１１ｃへ向かうにしたがって翼部１３の先端寄りに位置し、第２の窪み部２２の翼部１３の根元側での、羽根部１１の下流側の端部から上流側への寸法は、第１の窪み部２１での、羽根部１１の上流側１１ｃの端部から下流側１１ｂへの寸法より大きく、補強部２３の長さは、下流側１１ｂから上流側１１ｃへ向かうにしたがって長くなると共に、翼部１３での補強部２３の羽根部１１の回転方向１１ａにおける寸法は、上流側１１ｃが下流側１１ｂに比べ小さいことを特徴とするものである。【選択図】図３
2014190291.tif 000002
【特許請求の範囲】
【請求項１】
天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから一体に形成し、前記翼部には、前記羽根部の回転方向における上流側に、下方に向けて窪んだ第１の窪み部と、前記羽根部の回転方向における下流側に、下方に向けて窪んだ第２の窪み部と、前記根元部から前記翼部の途中まで伸び、水平断面形状が凹形状である複数の補強部とを備え、前記段差部は、下流側から上流側へ向かうにしたがって前記根元部から斜め下方へ伸びる距離が大きくなり、前記第１の窪み部は、下流側から上流側へ向かうにしたがって下方へ傾斜し、前記第２の窪み部は、前記羽根部の下流側の端部から上流側への寸法は、前記翼部の根元側が、先端側より大きく、前記第２の窪み部の前記翼部の根元側の端部は、下流側から上流側へ向かうにしたがって前記翼部の先端寄りに位置し、前記第２の窪み部の前記翼部の根元側での、前記羽根部の下流側の端部から上流側への寸法は、前記第１の窪み部での、前記羽根部の上流側の端部から下流側への寸法より大きく、前記補強部の長さは、下流側から上流側へ向かうにしたがって長くなると共に、前記翼部での前記補強部の前記羽根部の回転方向における寸法は、上流側が下流側に比べ小さいことを特徴とする天井扇風機。
【請求項２】
前記羽根部の回転方向における上流側の前記補強部は、前記第１の窪み部まで伸びていることを特徴とする請求項１に記載の天井扇風機。
【請求項３】
前記支持部には、複数の固定部を備え、前記羽根部の前記根元部には、孔である複数の固定孔部を有し、この固定孔部を介して、前記固定部に固定される連結手段によって前記羽根部は前記支持部の下面に固定され、前記固定孔部は、隣り合った前記補強部との間に設けたことを特徴とする請求項１または２に記載の天井扇風機。
【請求項４】
複数の前記補強部の前記羽根部における前記根元部側の端部は、前記羽根部の端部まで伸びたことを特徴とする請求項１から３のいずれかに記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。すなわち、天井に係合可能なパイプ部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから形成し、前記羽根部には、前記羽根部の回転方向における下流側には、下方に向けて折り曲げられた折り曲げ部と、羽根部の中央に複数の補強部を備えた構成となっていた。
【０００３】
例えば、これに類似する先行文献は下記特許文献１に記載されている。
【先行技術文献】
【特許文献】
【０００４】
【特許文献１】特開２００９−１２１２４３号公報
【発明の概要】
【発明が解決しようとする課題】
【０００５】
上記従来例における課題は、羽根部の強度を更に向上させることであった。
【０００６】
すなわち、羽根部が回転し、空気を下方へ押し下げる反作用として羽根部の段差部に応力が発生し、長期使用においては繰返し荷重による金属疲労により、破損する場合があった。
【０００７】
従来は、羽根部に補強部を設けて、この補強部によって強度を向上させていた。これにより、補強部を設けた部分の強度は向上するが、補強部を設けていない部分には応力が集中することとなり、その集中する部分では、長期使用においては繰返し荷重による金属疲労により、破損する場合があった。
【０００８】
そこで、本発明は、羽根部に発生する応力を分散させ、羽根部の強度を更に向上させることを目的とするものである。
【課題を解決するための手段】
【０００９】
そして、この目的を達成するために、本発明は、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから一体に形成し、前記翼部には、前記羽根部の回転方向における上流側に、下方に向けて窪んだ第１の窪み部と、前記羽根部の回転方向における下流側に、下方に向けて窪んだ第２の窪み部と、前記根元部から前記翼部の途中まで伸び、水平断面形状が凹形状である複数の補強部とを備え、前記段差部は、下流側から上流側へ向かうにしたがって前記根元部から斜め下方へ伸びる距離が大きくなり、前記第１の窪み部は、下流側から上流側へ向かうにしたがって下方へ傾斜し、前記第２の窪み部は、前記羽根部の下流側の端部から上流側への寸法は、前記翼部の根元側が、先端側より大きく、前記第２の窪み部の前記翼部の根元側の端部は、下流側から上流側へ向かうにしたがって前記翼部の先端寄りに位置し、前記第２の窪み部の前記翼部の根元側での、前記羽根部の下流側の端部から上流側への寸法は、前記第１の窪み部での、前記羽根部の上流側の端部から下流側への寸法より大きく、前記補強部の長さは、下流側から上流側へ向かうにしたがって長くなると共に、前記翼部での前記補強部の前記羽根部の回転方向における寸法は、上流側が下流側に比べ小さいことを特徴としたものであり、これにより所期の目的を達成するものである。
【発明の効果】
【００１０】
本発明によれば、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから一体に形成し、前記翼部には、前記羽根部の回転方向における上流側に、下方に向けて窪んだ第１の窪み部と、前記羽根部の回転方向における下流側に、下方に向けて窪んだ第２の窪み部と、前記根元部から前記翼部の途中まで伸び、水平断面形状が凹形状である複数の補強部とを備え、前記段差部は、下流側から上流側へ向かうにしたがって前記根元部から斜め下方へ伸びる距離が大きくなり、前記第１の窪み部は、下流側から上流側へ向かうにしたがって下方へ傾斜し、前記第２の窪み部は、前記羽根部の下流側の端部から上流側への寸法は、前記翼部の根元側が、先端側より大きく、前記第２の窪み部の前記翼部の根元側の端部は、下流側から上流側へ向かうにしたがって前記翼部の先端寄りに位置し、前記第２の窪み部の前記翼部の根元側での、前記羽根部の下流側の端部から上流側への寸法は、前記第１の窪み部での、前記羽根部の上流側の端部から下流側への寸法より大きく、前記補強部の長さは、下流側から上流側へ向かうにしたがって長くなると共に、前記翼部での前記補強部の前記羽根部の回転方向における寸法は、上流側が下流側に比べ小さいことを特徴とするものであり、羽根部の強度を更に向上させることができるものである。
【００１１】
第２の窪み部の翼部の根元側での、羽根部の下流側の端部から上流側への寸法は、第１の窪み部での、羽根部の上流側の端部から下流側への寸法より大きいので、段差部と第１の窪み部、および第２の窪み部との間の応力集中は、上流側に比べ下流側が大きくなる。
【００１２】
そこで、段差部と第１の窪み部、および第２の窪み部との間の応力集中を緩和する為に、複数の補強部を備えている。
【００１３】
すなわち、補強部の長さは、下流側から上流側へ向かうにしたがって長くなると共に、翼部での補強部の羽根部の回転方向における寸法は、上流側が下流側に比べ小さくする。これにより、下流側では、上流側に比べ、補強部の長さは、短いが、補強部の回転方向における寸法が、大きいので、応力集中がより緩和される。一方、上流側では、段差部は、下流側から上流側へ向かうにしたがって根元部から斜め下方へ伸びる距離が大きくなるので、下流側に比べ上流側は、応力集中が緩和されている。そこで、下流側に比べ、上流側では、補強部の長さは、長いが、補強部の回転方向における寸法が、小さすることにより、応力集中がより緩和されると共に、上流側と下流側との応力集中のバランスが向上する。
【００１４】
結果として、羽根部に発生する応力集中を分散させ、羽根部の強度を更に向上させることができるものである。
【図面の簡単な説明】
【００１５】
【図１】本発明の実施の形態１の天井扇風機の概要を示す図
【図２】同天井扇風機における羽根部の根元部の概要を示す図
【図３】同天井扇風機における羽根部の概要を示す図
【発明を実施するための形態】
【００１６】
以下、本発明の実施の形態について図面を参照しながら説明する。
【００１７】
（実施の形態１）
図１は、本発明の実施の形態の天井扇風機の概要を示す図である。図２は、本発明の実施の形態の天井扇風機本体における羽根部の根元部の概要を下から見た図である。図３は、本発明の実施の形態の天井扇風機本体の羽根部を上から見た図である。
【００１８】
図１から３に示すように、天井扇風機は天井１に固定される吊下部２と、吊下部２を介して係合可能な天井扇風機本体３とから構成されている。天井扇風機本体３は連結部４と、モータ部７と、羽根部１１と、本体カバー部１６とを備えている。
【００１９】
天井扇風機本体３は、上部に吊下部２に吊下げ可能な連結部４を備えている。連結部４は、吊下部２に直接引っ掛けられるジョイント部分５と、このジョイント部分５の下部に固定された円筒形状のパイプ部分６とから構成している。
【００２０】
パイプ部分６の下部には、モータ部７が固定されている。モータ部７は、パイプ部分６の下部に固定される略円板形状のステータ部（図示せず）と、ステータ部の外周を回転自在な略環形状のロータ部（図示せず）とから構成している。このロータ部の下面には、ロータ部の下面を覆う椀形状のモータ下カバー２０を備えている。このモータ下カバー２０の側周面には、支持部１０が設けられている。この支持部１０には、ねじ孔である２つの固定部１７を備えている。このねじ孔に、連結手段１８であるネジによって、着脱可能な複数の金属製の羽根部１１が固定される。この羽根部１１は、モータ下カバー２０から外方水平方向に延びるように固定される。このモータ下カバー２０の下面の周縁部には、平面である受け部１９を備えている。
【００２１】
羽根部１１の後述する根元部１２の上面が、モータ下カバー２０の下面、つまり受け部１９と接触した状態で、羽根部１１は、ねじ孔に、連結手段１８であるネジによって、着脱可能な複数の金属製の羽根部１１が固定される。この羽根部１１は、モータ下カバー２０から外方水平方向に延びるように固定される。
【００２２】
羽根部１１は、材質は金属板であり、根元部１２と、翼部１３と、段差部１４とから構成されている。
【００２３】
根元部１２は、羽根部１１における一方側であるモータ部７側に位置し、略四角平板形状で支持部１０に固定される２つの円形状の孔である固定孔部１５を有する。それぞれの固定孔部１５は、羽根部１１の回転方向１１ａにおける上流側１１ｃの端部寄りと、下流側１１ｂの端部寄りに位置するものである。この固定孔部１５を介して、連結手段１８であるネジを支持部１０の固定部１７である２つのねじ孔に固定することによって、羽根部１１は、支持部１０の下面に固定される。
【００２４】
羽根部１１の固定孔部１５を介して、連結手段１８であるネジを支持部１０の固定部１７である２つのねじ孔に固定することによって、羽根部１１、およびモータ下カバー２０が、支持部１０に固定される。
【００２５】
翼部１３は、羽根部１１における他方側である外方側に位置し、ロータ部が回転することにより空気を送風する部分である。
【００２６】
段差部１４は、根元部１２と翼部１３の間に位置し、翼部１３を水平より傾けた状態に維持するものである。段差部１４は、根元部１２の端部から翼部１３の端部へ伸びる平板形状であり、羽根部１１の矢印の回転方向１１ａにおける下流側１１ｂから上流側１１ｃへ向かうにしたがって、根元部１２から斜め下方へ伸びる距離が大きくなる。つまり、段差部１４は、略三角形状の平板である。
【００２７】
これら根元部１２と翼部１３と段差部１４とは、一体で形成されている。つまり、一枚の金属板からプレス加工によって製造されたものである。
【００２８】
天井扇風機の送風動作について説明する。天井扇風機は、モータ部７に通電することにより、モータ部７であるロータ部が、回転する。この回転によって、ロータ部周縁部の支持部１０に固定された羽根部１１も回転する。ここで、翼部１３は、段差部１４によって、羽根部１１の回転方向１１ａにおける下流側１１ｂから上流側１１ｃへ向かうにしたがって斜め下方へ傾斜しているので、翼部１３の下面に沿って流れる空気が、天井側から床方向へ送風されるものである。
【００２９】
本実施形態における特徴は、羽根部１１の形状にある。
【００３０】
羽根部１１には、第１の窪み部２１と、第２の窪み部２２と、補強部２３とを有している。
【００３１】
第１の窪み部２１は、下方に向けて窪んだ形状で、翼部１３の羽根部１１の回転方向１１ａにおける上流側１１ｃに設けられている。第１の窪み部２１は、下流側１１ｂから上流側１１ｃへ向かうにしたがって下方へ傾斜している。
【００３２】
第２の窪み部２２は、下方に向けて窪んだ形状で、翼部１３の羽根部１１の回転方向１１ａにおける下流側１１ｂに設けられている。第２の窪み部２２は、羽根部１１の下流側１１ｂの端部から上流側１１ｃへの寸法は、翼部１３の根元側が、先端側より大きい。第２の窪み部２２の翼部の根元側の端部２４は、下流側１１ｂから上流側１１ｃへ向かうにしたがって翼部１３の先端寄りに位置している。ここで、第２の窪み部２２の翼部１３の根元側での、羽根部１１の下流側１１ｂの端部から上流側１１ｃへの寸法は、第１の窪み部２１での、羽根部１１の上流側１１ｃの端部から下流側１１ｂへの寸法より大きいものである。
【００３３】
補強部２３は、根元部１２から翼部１３の途中まで伸び、水平断面形状が凹形状で、複数備えている。下流側１１ｂの補強部２３の先端は、段差部１４と第２の窪み部２２との間に位置する。補強部２３の長さは、下流側１１ｂから上流側１１ｃへ向かうにしたがって長くなると共に、翼部１３での補強部２３の羽根部１１の回転方向１１ａにおける寸法は、上流側１１ｃが下流側１１ｂに比べ小さいものである。
【００３４】
以上の構成により、第２の窪み部２２の翼部１３の根元側での、羽根部１１の下流側１１ｂの端部から上流側１１ｃへの寸法は、第１の窪み部２１での、羽根部１１の上流側１１ｃの端部から下流側１１ｂへの寸法より大きいので、段差部１４と第１の窪み部２１、および第２の窪み部２２との間の応力集中は、上流側１１ｃに比べ下流側１１ｂが大きくなる。
【００３５】
そこで、段差部１４と第１の窪み部２１、および第２の窪み部２２との間の応力集中を緩和する為に、複数の補強部２３を備えている。
【００３６】
すなわち、補強部２３の長さは、下流側１１ｂから上流側１１ｃへ向かうにしたがって長くなると共に、翼部１３での補強部２３の羽根部１１の回転方向１１ａにおける寸法は、上流側１１ｃが下流側１１ｂに比べ小さくする。これにより、下流側１１ｂでは、上流側１１ｃに比べ、補強部２３の長さは、短いが、補強部２３の回転方向１１ａにおける寸法が、大きいので、応力集中がより緩和される。一方、上流側１１ｃでは、段差部１４は、下流側１１ｂから上流側１１ｃへ向かうにしたがって根元部１２から斜め下方へ伸びる距離が大きくなるので、下流側１１ｂに比べ上流側１１ｃは、応力集中が緩和されている。そこで、下流側１１ｂに比べ、上流側１１ｃでは、補強部２３の長さは、長いが、補強部の回転方向１１ａにおける寸法が、小さすることにより、応力集中がより緩和されると共に、上流側１１ｃと下流側１１ｂとの応力集中のバランスが向上する。
【００３７】
結果として、羽根部１１に発生する応力集中を分散させ、羽根部１１の強度を更に向上させることができるものである。
【００３８】
羽根部１１の回転方向１１ａにおける上流側１１ｃの補強部２３は、第１の窪み部２１まで伸びている。仮に、補強部２３と第１の窪み部２１とが連結していないと、補強部２３と第１の窪み部２１との間に応力集中が発生する。更に、上流側１１ｃである第１の窪み部２１と段差部１４との間の補強部２３の数は、下流側１１ｂである第２の窪み部２２と段差部１４との間の補強部２３の数より少ないので、上流側１１ｃと下流側１１ｂとの応力集中のバランスがくずれると考えられる。すなわち、上流側１１ｃの補強部２３が、第１の窪み部２１まで伸び、上流側１１ｃの補強部２３と第１の窪み部２１とが連結することにより、上流側１１ｃと下流側１１ｂとの応力集中のバランスが向上すると考えられる。
【００３９】
支持部１０には、複数の固定部１７を備え、羽根部１１の根元部１２には、孔である複数の固定孔部１５を有している。この固定孔部１５を介して、固定部１７に固定される連結手段１８によって羽根部１１は支持部１０の下面に固定され、固定孔部１５は、隣り合った補強部２３との間に設けてられている。
【００４０】
具体的には、上流側１１ｃの固定孔部１５は、最も上流側１１ｃである第１の補強部２３ａと、この第１の補強部２３ａの隣に位置する第２の補強部２３ｂとの間に位置するものである。下流側１１ｂの固定孔部１５は、最も下流側１１ｂである第３の補強部２３ｃと、この第３の補強部２３ｃの隣に位置する第４の補強部２３ｄとの間に位置するものである。これにより、固定孔部１５の周囲で発生する応力集中を緩和することができる。
【００４１】
複数の補強部２３の羽根部１１における根元部１２側の端部２５は、羽根部１１のモータ部７側の端部まで伸びている。
【００４２】
これにより、羽根部１１のモータ部７側の端部の強度が向上し、羽根部１１のモータ部７側の端部で発生する応力集中を緩和することができる。
【産業上の利用可能性】
【００４３】
本発明によれば、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから一体に形成し、前記翼部には、前記羽根部の回転方向における上流側に、下方に向けて窪んだ第１の窪み部と、前記羽根部の回転方向における下流側に、下方に向けて窪んだ第２の窪み部と、前記根元部から前記翼部の途中まで伸び、水平断面形状が凹形状である複数の補強部とを備え、前記段差部は、下流側から上流側へ向かうにしたがって前記根元部から斜め下方へ伸びる距離が大きくなり、前記第１の窪み部は、下流側から上流側へ向かうにしたがって下方へ傾斜し、前記第２の窪み部は、前記羽根部の下流側の端部から上流側への寸法は、前記翼部の根元側が、先端側より大きく、前記第２の窪み部の前記翼部の根元側の端部は、下流側から上流側へ向かうにしたがって前記翼部の先端寄りに位置し、前記第２の窪み部の前記翼部の根元側での、前記羽根部の下流側の端部から上流側への寸法は、前記第１の窪み部での、前記羽根部の上流側の端部から下流側への寸法より大きく、前記補強部の長さは、下流側から上流側へ向かうにしたがって長くなると共に、前記翼部での前記補強部の前記羽根部の回転方向における寸法は、上流側が下流側に比べ小さいことを特徴とするものであり、羽根部の強度を更に向上させることができるものである。
【００４４】
第２の窪み部の翼部の根元側での、羽根部の下流側の端部から上流側への寸法は、第１の窪み部での、羽根部の上流側の端部から下流側への寸法より大きいので、段差部と第１の窪み部、および第２の窪み部との間の応力集中は、上流側に比べ下流側が大きくなる。
【００４５】
そこで、段差部と第１の窪み部、および第２の窪み部との間の応力集中を緩和する為に、複数の補強部を備えている。
【００４６】
すなわち、補強部の長さは、下流側から上流側へ向かうにしたがって長くなると共に、翼部での補強部の羽根部の回転方向における寸法は、上流側が下流側に比べ小さくする。これにより、下流側では、上流側に比べ、補強部の長さは、短いが、補強部の回転方向における寸法が、大きいので、応力集中がより緩和される。一方、上流側では、段差部は、下流側から上流側へ向かうにしたがって根元部から斜め下方へ伸びる距離が大きくなるので、下流側に比べ上流側は、応力集中が緩和されている。そこで、下流側に比べ、上流側では、補強部の長さは、長いが、補強部の回転方向における寸法が、小さすることにより、応力集中がより緩和されると共に、上流側と下流側との応力集中のバランスが向上する。
【００４７】
結果として、羽根部に発生する応力集中を分散させ、羽根部の強度を更に向上させることができるものである。
【００４８】
従って、家庭用や事務用などの、天井扇風機としての活用が期待されるものである。
【符号の説明】
【００４９】
１    天井
２    吊下部
３    天井扇風機本体
４    連結部
５    ジョイント部分
６    パイプ部分
７    モータ部
１０    支持部
１１    羽根部
１１ａ  回転方向
１１ｂ  下流側
１１ｃ  上流側
１２    根元部
１３    翼部
１４    段差部
１５    固定孔部
１６    本体カバー部
１７    固定部
１８    連結手段
１９    受け部
２０    モータ下カバー
２１    第１の窪み部
２２    第２の窪み部
２３    補強部
２３ａ  第１の補強部
２３ｂ  第２の補強部
２３ｃ  第３の補強部
２３ｄ  第４の補強部
２４    端部
２５    端部
【図１】
2014190291.tif 000003
【図２】
2014190291.tif 000004
【図３】
2014190291.tif 000005